(57)【要約】【課題】別体の部品を備えたり用意したりすることなく抜き取ることができるカードトレイを備えたカードコネクタおよびそのカードトレイを提供する。【解決手段】カードトレイは金属シェルとトレイ本体３０Ａを有する。トレイ本体３０Ａは、コイルばね３４と、イジェクト部材３５と、ハートカム３６と、連結ロッド３７とを備えている。イジェクト部材３５を押し込むと連結ロッド３７がハートカム３６のロック部３６１ａから外れる。そして、コイルばね３４に押されて、イジェクト部材３５が突出する。そのイジェクト部材３５の突出した部分を手がかりにしてカードトレイを引き出す。【選択図】図３
2016134359.tif 000002
【特許請求の範囲】
【請求項１】
カードが載置されコネクタ本体に挿抜自在に差し込まれるカードトレイであって、
カードが載置されるカード載置部と、
挿抜方向にスライド自在に支持されたイジェクト部材と、
前記イジェクト部材を抜取りの向きに付勢するバネ部材と、
前記イジェクト部材を挿入の向きに押し込むことにより該イジェクト部材を押込位置にロックし、該イジェクト部材を挿入の向きに力を再度加えることによりロックが外れ前記バネ部材の作用により該イジェクト部材を押出位置に押し出させるロック機構とを備えたことを特徴とするカードトレイ。
【請求項２】
前記ロック機構が、前記イジェクト部材を前記押込位置にロックするロック部を有するカム溝が形成されたハートカムと、該イジェクト部材と該ハートカムとを連結する連結ロッドとを備えたことを特徴とする請求項１に記載のカードトレイ。
【請求項３】
前記取出しの向きの前端部に、前記イジェクト部材を挿通させる挿通口と、前記コネクタ本体が搭載される機器の筐体外面の一部となる前面とを有する外壁部を備え、該イジェクト部材が前記押込位置にあるときに、該イジェクト部材の前記取出しの向きの前端面が該外壁部の前面と略同一面を成すことを特徴とする請求項１または２に記載のカードトレイ。
【請求項４】
前記外壁部が、取出しの途中で前記筐体外面から露出する位置に、取出し用の凹部を有することを特徴とする請求項３に記載のカードトレイ。
【請求項５】
請求項１から４のうちいずれか１項に記載のカードトレイと、
前記カードトレイを受容する受容部を有するコネクタ本体とを備えたことを特徴とするカードコネクタ。
【発明の詳細な説明】
【技術分野】
【０００１】
本発明は、カードを載せるカードトレイ、および、そのカードトレイを差し込むタイプのカードコネクタに関する。
【背景技術】
【０００２】
メモリカードやＳＩＭカード等のカードをカードトレイに載せ、そのカードトレイを差し込むタイプのカードコネクタが広く普及している。このタイプのカードコネクタは、コネクタ本体が携帯電話器等の機器内に搭載される。そうして、カードを載せたカードトレイが、機器筐体に設けられた開口から差し込まれて、コネクタ本体内に受容される。
【０００３】
この受容された状態では、カードトレイの前面は機器筐体の外面の一部を成している。このタイプのカードコネクタの中には、受容されたカードトレイの前面に、機器筐体の内外に通じる小さな開口が形成されているタイプがある。コネクタ本体に受容されているカードトレイを抜き取るにあたっては、そのカードコネクタとは別体のイジェクト部材をその開口に差し込む。すると、コネクタ本体内のイジェクト機構によってカードトレイが押し出される。
【０００４】
このカードコネクタの場合、カードトレイを取り出すには別体のイジェクト部材が必要となる。このため、このイジェクト部材が手元にないとカードトレイを取り出すことができないという問題がある。
【０００５】
特許文献１には、カード保持部およびつまみ部を有するカード収容用トレイを具備するカードコネクタが開示されている。つまみ部はカード保持部から離れる向きに付勢されている。このカードコネクタが搭載される機器筐体の、カード収納用トレイが差し込まれる開口にはキャップが差し込まれる。そして、そのキャップにより、つまみ部が奥向きに押し込まれる。キャップを外すと、つまみ部が開口から突出し、そのつまみ部をつまんでカード収納用トレイを抜き取ることができる。
【０００６】
この特許文献１に開示された技術によれば、イジェクト部材のような別体の治具がなくてもカードトレイを抜き取ることができる。しかしながら、この特許文献１に開示された技術の場合、イジェクト部材は不要である代わりに、キャップが必要となる。
【先行技術文献】
【特許文献】
【０００７】
【特許文献１】特開２０１４−５６５５１号公報
【発明の概要】
【発明が解決しようとする課題】
【０００８】
本発明は、別体の部品を備えたり用意したりすることなく抜き取ることができるカードトレイおよびそのカードトレイを備えたカードコネクタを提供することを目的とする。
【課題を解決するための手段】
【０００９】
上記目的を達成する本発明のカードトレイは、カードが載置されコネクタ本体に挿抜自在に差し込まれるカードトレイであって、
カードが載置されるカード載置部と、
挿抜方向にスライド自在に支持されたイジェクト部材と、
イジェクト部材を抜取りの向きに付勢するバネ部材と、
イジェクト部材を挿入の向きに押し込むことによりイジェクト部材を押込位置にロックし、イジェクト部材を挿入の向きに力を再度加えることによりロックが外れバネ部材の作用によりイジェクト部材を押出位置に押し出させるロック機構とを備えたことを特徴とする。
【００１０】
本発明のカードトレイは、上記のイジェクト部材と、バネ部材と、ロック機構とを備えている。このため、押込位置にあるイジェクト部材をさらに押し込んでから押込みを止めると、イジェクト部材が押出位置まで押し出される。この押出位置まで押し出されたイジェクト部材を手がかりにして引き出すことにより、カードトレイを引き抜くことができる。したがって、本発明のカードトレイによれば、別体の部品を備えたり用意したりすることなく、抜き取ることができる。
【００１１】
ここで、本発明のカードトレイにおいて、上記ロック機構が、イジェクト部材を押込位置にロックするロック部を有するカム溝が形成されたハートカムと、イジェクト部材とハートカムとを連結する連結ロッドとを備えていることが好ましい。
【００１２】
ハートカムと連結ロッドとを備えたロック機構によれば、押込位置にあるイジェクト部材を少し押し込むだけでイジェクト部材を大きく押し出させることができる。
【００１３】
また、本発明のカードトレイにおいて、取出しの向きの前端部に、イジェクト部材を挿通させる挿通口と、コネクタ本体が搭載される機器の筐体外面の一部となる前面とを有する外壁部を備え、イジェクト部材が押込位置にあるときに、イジェクト部材の取出しの向きの前端面が外壁部の前面と略同一面を成すことが好ましい。
【００１４】
外壁部前面、さらにイジェクト部材の前端面が機器筐体外面の一部を成すことにより、意匠上優れた機器外観となる。
【００１５】
ここで、外壁部が、取出しの途中で筐体外面から露出する位置に、取出し用の凹部を有することが好ましい。
【００１６】
この凹部を利用することで抜取りがさらに容易となる。
【００１７】
また、上記目的を達成する本発明のカードコネクタは、本発明のいずれかの態様のカードトレイと、そのカードトレイを受容する受容部を有するコネクタ本体とを備えたことを特徴とする。
【発明の効果】
【００１８】
以上の本発明によれば、別体の部品を備えたり用意したりすることなく、カードトレイを抜き取ることができる。
【図面の簡単な説明】
【００１９】
【図１】本発明の一実施形態としてのカードコネクタの平面図である。
【図２】カードトレイを示した斜視図である。
【図３】カードトレイから金属シェルを取り外してトレイ本体を示した斜視図である。
【図４】イジェクト部材が押し込まれた状態の、トレイ本体の斜視図である。
【図５】イジェクト部材が押し出された状態にあるときの、トレイ本体の斜視図である。
【図６】機器に差し込まれた状態のカードコネクタを示した斜視図である。
【図７】機器に差し込まれている状態のカードトレイの取出しの手順を示した図である。
【発明を実施するための形態】
【００２０】
以下、本発明の実施の形態を説明する。
【００２１】
図１は、本発明の一実施形態としてのカードコネクタの平面図である。
【００２２】
このカードコネクタ１０は、コネクタ本体２０とカードトレイ３０とを有する。
【００２３】
コネクタ本体２０は、金属シェル２１と、その金属シェル２１に覆われた不図示のハウジングとを有する。そして、それら金属シェル２１とハウジングとの間にはカードトレイ３０を受容する受容部２０Ａが形成されている。ハウジングには不図示のコンタクトが配置されている。このコネクタ本体２０は、機器筐体９０（図６参照）の内部に備えられた回路基板（不図示）に搭載されている。
【００２４】
図２は、図１に示すカードコネクタを構成しているカードトレイを示した斜視図である。
【００２５】
また、図３は、図２に示すカードトレイから金属シェルを取り外してトレイ本体を示した斜視図である。
【００２６】
図２に示すように、このカードトレイ３０は、トレイ本体３０Ａと金属シェル３０Ｂとを備えている。
【００２７】
トレイ本体３０Ａには、コイルばね３４が備えられている。図２に示す金属シェル３０Ｂは、そのコイルばね３４等の構造物を保護する。
【００２８】
また、この金属シェル３０Ｂは、カードトレイ３０を取り扱うユーザの指をそれらの構造物から保護する。この金属シェル３０Ｂには、トレイ本体３０Ａ側に切り起こされた切起し部３０１が設けられている。この切起し部３０１は、コイルばね３４が縮んだときにそのコイルばね３４が横に曲がるのを防いで真直ぐに縮むように、コイルばね３４を案内する役割を担っている。この図２に示す金属シェル３０Ｂは、トレイ本体３０Ａの、ＳＩＭカード４０（図１参照）が載置されるカード載置部３１の一部を覆っている。これは、このカード載置部３１にＳＩＭカード４０を載せるときの案内用である。ただし、この金属シェル３０Ｂの、カード載置部３１の上に広がる部分をなくし、コイルばね３４やその周辺の構造物を覆う領域のみに広がる金属シェルを備えてもよい。
【００２９】
トレイ本体３０Ａに設けられているカード載置部３１には、載置されたＳＩＭカード４０の下面の広い領域を下方に開放する広い開口３１ａが形成されている。そして、その広い開口３１ａの両側に、ＳＩＭカード４０を載せる載置台３１ｂが設けられている。
【００３０】
ＳＩＭカード４０は、その両側部が載置台３１ｂに載置され、下面の広い領域を露出させている。そのＳＩＭカード４０の下面には、電気的な接続を担うパッド（不図示）が形成されている。
【００３１】
このＳＩＭカード４０を載置したカードトレイ３０が矢印Ｉで示す差込みの向きに差し込まれて、コネクタ本体２０の受容部２０Ａに受容される。すると、ＳＩＭカード４０のパッドとコネクタ本体のコンタクト（不図示）とが接触する。コネクタ本体２０のコンタクトは、コネクタ本体２０が搭載されている回路基板に接続されている。このため、ＳＩＭカード４０は、コネクタ本体２０に受容されて、回路基板との間でコンタクトを介して信号の伝送を行なうことができる。
【００３２】
また、このトレイハウジング３１の、矢印Ｉで示す差込みの向きの後端側には、Ｏリング３２ａを備えた防水部３２が設けられている。
【００３３】
さらに、このトレイ本体３０Ａの、矢印Ｉで示す差込みの向きのさらに後端部、すなわち、矢印Ｒで示す取出しの向きの前端部には、外壁部３３が設けられている。この外壁部３３には、挿通口３３１が設けられている。この挿通口３３１は、イジェクト部材３５（詳細は後述する）を挿通させる、外壁部３３と防水部３２とを貫く貫通孔である。イジェクト部材３５の、防水部３２を通過する部分には、Ｏリング（不図示）が嵌められている。防水部３２は、外周を取り巻くＯリング３２ａと、挿通口３３１内に配置されてイジェクト部材３５を取りまくＯリングとにより、防水構造となっている。
【００３４】
また、この外壁部３３には、指の爪を掛けるのに適当な窪み部３３２が形成されている。この窪み部３３２は、カードトレイ３０を機器筐体９０から取出している途中で、その筐体９０の外面９２から露出する位置に設けられている。この窪み部３３２は、本発明における凹部の一例に相当する。
【００３５】
コネクタ本体２０が搭載される機器の筐体９０には、図１に示すように、奥側が一段狭まった幅の、カードトレイ３０の差込み用の差込口９１が形成されている。カードトレイ３０は、その差込口９１に差し込まれてコネクタ本体２０に受容される。この受容された状態において、防水部３２や外壁部３３は、筐体９０の差込口９１の内部に配置される。そして、防水部３２により、筐体９０の内部が水密に保たれる。
【００３６】
また、この受容された状態において、外壁部３３の、矢印Ｒで示す取出しの向きの前面３３３が機器筐体９０の外面９２と同一面となる。すなわち、外壁部３３の前面３３３が、機器筐体９０の外面９２の一部を成す。また、イジェクト部材３５の、取出しの向き（矢印Ｒの向き）の前端面３５１も、図３に示す押込位置において、立壁部３３の前面３３３と同一面となっている。すなわち、イジェクト部材３５の前端面３５１も機器筐体９０の外面９２の一部を成している。これら前面３３３と前端面３５１との双方が機器筐体９０の外面９２の一部を成していることが、機器筐体９０の優れた意匠に貢献している。
【００３７】
イジェクト部材３５は、挿抜方向（矢印Ｉ−Ｒ方向）にスライド自在となっている。コイルばね３４は、このイジェクト部材３５を取出しの向き（矢印Ｒの向き）に付勢している。また、ここには、いわゆるハートカム３６と連結ロッド３７とを有するロック機構３８が設けられている。ハートカム３６には、ロック部３６１ａを通って一周するカム溝３６１が設けられている。連結ロッド３７は、イジェクト部材３５とハートカム３６とを連結している。すなわち、この連結ロッド３７は、差込みの向き（矢印Ｉの向き）の後端部が左右に回動自在にイジェクト部材３５に軸支されてハートカム３６に向かって延びている。そして、この連結ロッド３７の、差込みの向き（矢印Ｉの向き）の先端部は鉤型に下に折れ曲がっていて、カムピン３７１となっている。そのカムピン３７１は、ハートカム３６のカム溝３６１に入り込んでいる。図３は、連結ロッド３７のカムピン３７１がハートカム３６のカム溝３６１の、ロック部３６１ａに入り込んでいる状態を示している。カムピン３７１がロック部３６１ａに入り込むと、イジェクト部材３５は、図３に示す押込位置にロックされる。
【００３８】
図４は、イジェクト部材が押し込まれた状態の、トレイ本体の斜視図である。
【００３９】
また、図５は、イジェクト部材が押し出された状態にあるときの、トレイ本体の斜視図である。
【００４０】
図３に示す押込位置にあるイジェクト部材３５を、指またはペン先などで、図４に示すようにさらに押し込む。すると、連結ロッド３７の先端部のカムピン３７１が、ハートカム３６のカム溝３６１のロック部３６１ａから外れる。本実施形態では、イジェクト部材３５を０．８ｍｍ押し込むと、カムピン３７１がロック部３６１ａから外れる。すると、コイルばね３４によりイジェクト部材３５が押されて、イジェクト部材３５が、図５に示す押出位置まで押し出される。本実施形態の場合、この押出位置まで押し出されたイジェクト部材３５の、外壁部３３の前面３３３からの突出量は２．１ｍｍである。このイジェクト部材３５には、その前端面３５１からやや奥まった位置に、一段下がった段形状３５２が形成されている。そこに、指の爪などを掛けてイジェクト部材３５を引く。このイジェクト部材３５の後端部にはコイルばね３４や連結ロッド３７を支持する支持ブロック３５３が設けられている。この支持ブロック３５３は、挿通口３３１よりも大寸法であり、イジェクト部材３５用の抜け止めとなっている。このため、図５に示す押出位置にあるイジェクト部材３５を引くと、カードトレイ３０の全体が機器筐体９０から引き出される。
【００４１】
図６は、機器に差し込まれた状態のカードコネクタを示した斜視図である。
【００４２】
ここでは、機器５０は、機器筐体９０のみ図示されていて、かつ、その内部が見えるように上半分を取り去った状態が示されている。また、カードコネクタについても、コネクタ本体２０（図１参照）や金属シェル３０Ｂ（図２参照）については図示せずに、トレイ本体３０Ａのみ示されている。
【００４３】
カードトレイ３０は、この図６に示すように、立壁部３３の前面３３３が機器５０の筐体９０の外面９２と同一面となるまで差し込まれる。
【００４４】
図７は、機器に差し込まれている状態のカードトレイの取出しの手順を示した図である。ここでも、トレイ本体３０Ａのみ示されている。
【００４５】
図７（Ａ）は、図６と同様、カードトレイ３０が機器筐体９０に差し込まれている状態を示している。
【００４６】
図７（Ａ）の状態にあるカードトレイ３０のイジェクト部材３５を押し込む（図７（Ｂ））。
【００４７】
その後、押込みを止めると、イジェクト部材３５が、図７（Ｃ）に示すように、押出位置まで突き出た状態となる。
【００４８】
そこで、そのイジェクト部材３５の突き出た部分に例えば指の爪を掛けてイジェクト部材３５を引くと、カードトレイ３０が機器筐体９０から引き出される（図７（Ｄ））。カードトレイ３０をこの図７（Ｄ）に示した状態まで引き出した後は、今度は外壁部３３の設けられている窪み部３３２に例えば指の爪を掛けて引き抜く（図７（Ｅ））。イジェクト部材３５は、横長の外壁部３３の端部に位置している。このため、イジェクト部材３５を引くとカードトレイ３０に回転しようとするモーメントが作用し、引き抜きにくいことも考えられる。外壁部３３の窪み部３３２は、イジェクト部材３５よりは外壁部３３の中央に寄った位置にある。このため、この窪み部３３２が筐体外壁９２よりも外に現れた後は、窪み部３３２を利用してカードトレイ３０を引き出してもよい。あるいは、イジェクト部材３５と外壁部３３との双方に同時に力を加えて引き抜いてもよい。
【００４９】
このようにして、カードトレイ３０をさらに引き抜くことで、機器５０（図６参照）から取り外すことができる。
【００５０】
カードトレイ３０を差し込むときは、外壁部３３の前面３３３を指で押し込む。すると、カードトレイ３０は、図７（Ｆ）に示した状態を経由して、図７（Ａ）に示した状態にまで差し込まれる。
【００５１】
なお、ここでは、イジェクト部材３５をカード載置部３１の右側に備えた例について図示している。ただし、イジェクト部材３５、コイルばね３４、ハートカム３６、および連結ロッド３７を、カード載置部３１の左側に備えてもよい。
【符号の説明】
【００５２】
１０      カードコネクタ
２０      コネクタ本体
２０Ａ    受容部
３０      カードトレイ
３０Ａ    トレイ本体
３０Ｂ    金属シェル
３１      カード載置部
３３      外壁部
３４      コイルばね
３５      イジェクト部材
３６      ハートカム
３７      連結ロッド
３８      ロック機構
４０      ＳＩＭカード
５０      機器
９０      機器筐体
９１      差込口
９２      機器筐体の外面
３３１    挿通口
３３２    窪み部
３３３    前面
３６１    カム溝
３６１ａ  ロック部
【図１】
2016134359.tif 000003
【図２】
2016134359.tif 000004
【図３】
2016134359.tif 000005
【図４】
2016134359.tif 000006
【図５】
2016134359.tif 000007
【図６】
2016134359.tif 000008
【図７】
2016134359.tif 000009